(57)【要約】【課題】製造に係る作業工数を削減し作業性を良好にするとともに、製造コストを削減することができる照明ユニットを提供する。【解決手段】照明ユニット１は、照射光を照射する電子部品９と、電子部品９に対して外部からの電気的な接続を行うための電気接続部１３と弾性を有し前記電子部品９を挟持することにより係止する係止部１５とを備えるバスバーと、バスバーを収容するためのハウジング８と、ハウジング８に組み付けられるとともに照射光を通過させる開口部２８を形成するカバー３とを備える。係止部１５には、カバー３をハウジング８に組み付けると開口部２８の周縁２９に当接する接触部１７と接触部１７に連続するとともにカバー３とハウジング８とが組み付けられた状態にて撓み変形して電子部品９を押圧する押さえ部１６とを形成する。【選択図】図２
2013189050.tif 000002
【特許請求の範囲】
【請求項１】
照射光を照射する電子部品と、
該電子部品に対して外部からの電気的な接続を行うための電気接続部と，弾性を有し前記電子部品を挟持することにより係止する係止部と，を備えるバスバーと、
該バスバーを収容するためのハウジングと、
該ハウジングに組み付けられるとともに前記照射光を通過させる開口部を形成するカバーと、
を備える照明ユニットにおいて、
前記係止部には、前記カバーを前記ハウジングに組み付けると前記開口部の周縁に当接する接触部と，該接触部に連続するとともに前記カバーと前記ハウジングとが組み付けられた状態にて撓み変形して前記電子部品を押圧する押さえ部と，を形成する
ことを特徴とする照明ユニット。
【請求項２】
請求項１に記載の照明ユニットにおいて、
前記押さえ部には、断面略凸状に形成するとともに一対の傾斜を設ける
ことを特徴とする照明ユニット。
【請求項３】
請求項１又は請求項２に記載の照明ユニットにおいて、
前記接触部の一方の自由端部と他方の自由端部との幅を開口部よりも広く形成する
ことを特徴とする照明ユニット。
【請求項４】
請求項１、請求項２又は請求項３に記載の照明ユニットにおいて、
前記開口部の周縁は、前記カバーの内側にて該カバーの側面から前記開口部の端部に向かってテーパ状に形成する
ことを特徴とする照明ユニット。
【発明の詳細な説明】
【技術分野】
【０００１】
本発明は、構成に電子部品とバスバーとカバーとを含む照明ユニットに関する。
【背景技術】
【０００２】
近年、車両等において小型化、省エネルギー化等を図るため、ＬＥＤ（発光ダイオード）を光源とする室内照明装置が用いられるようになってきた。このＬＥＤを光源として適用した照明ユニットに関しては、例えば、下記特許文献１に開示されている。
【０００３】
下記特許文献１に開示された照明ユニットは、光源となる電子部品（ＬＥＤ）１と、電子部品１を載置するハウジング３と、電子部品１に対して外部から電気的な接続を行う電子部品給電用プレート５と、両端を基台４及び電子部品給電用プレート５によって固定される支持軸６とを含んで構成されている。
【０００４】
電子部品１は、ＬＥＤ素子が電子部品基板８に実装されている。電子部品基板８の両端には、ＬＥＤ素子の電極に接続される接点９が形成されている。
【０００５】
ハウジング３は、板状に形成されるとともに、両端に一対の挿通孔２が形成されている。ハウジング３の上面には、電子部品１を載置するための凹部１０が形成されている。
【０００６】
電子部品給電用プレート５は導電性を有する金属によって成形され、略中央部に開口部１５を形成するとともに、開口部１５の周縁には、ハウジング３側に向かって凸部１６が形成されている。電子部品給電プレート５のハウジング３側の面には、給電パターン１８が形成され、この給電パターン１８が形成された凸部１６の先端が電気接触部１７となっている。
【０００７】
基台４と、電子部品給電用プレート５との間には、一対の支持軸６が設けられている。さらに、基台４と、電子部品給電用プレート５との間には、ハウジング３が挿通孔２に支持軸６が挿通された状態で、電子部品給電用プレート５に対して略垂直方向に移動可能に配置されている。
【０００８】
さらに、支持軸６には、弾性を有するコイル状のバネ７を挿通させる。バネ７は、ハウジング３と基台４との間に配置されている。
【０００９】
上記構成及び構造により、ハウジング３がバネ７の弾性力により、電子部品給電用プレート５側に押し上げられる。これにより、ハウジング３に載置される電子部品基板８の接点９が電子部品給電用プレート５の電気接触部１７に当接し、電子部品１は、接点９を介して電子部品給電用プレート５と電気的に接続される。また、バネ７の弾性力により、電子部品１は、電子部品給電用プレート５の電気接続部１７と電気的に接続された状態を保持することができる。
【先行技術文献】
【特許文献】
【００１０】
【特許文献１】特開２００９−２００１０２号公報
【発明の概要】
【発明が解決しようとする課題】
【００１１】
ところで、上記従来技術にあっては、電子部品への外部からの電気的な接続に関し、ハウジングと電子部品給電用プレートの他、一対の支持軸とバネとを備え、バネの有する弾性力により電子部品基板の接点を電子部品給電用プレートの電気接触部に当接させ、電子部品への電気的な接続を保持することから、照明ユニットの部品点数が増加するとともに、構造が複雑となり、照明ユニットの製造に係る作業工数が増加するという問題点を有している。
【００１２】
また、上記部品点数の増加は、照明ユニットの製造に係るコストを増加させるという問題点も有している。
【００１３】
本発明は、上記した事情に鑑みてなされたもので、簡易な構造を採用し、部品点数を押さえることで、製造に係る作業工数を削減し作業性を良好にするとともに、製造コストを削減することができる照明ユニットを提供することを課題とする。
【課題を解決するための手段】
【００１４】
上記課題を解決するためになされた請求項１記載の本発明の照明ユニットは、照射光を照射する電子部品と、該電子部品に対して外部からの電気的な接続を行うための電気接続部と，弾性を有し前記電子部品を挟持することにより係止する係止部と，を備えるバスバーと、該バスバーを収容するためのハウジングと、該ハウジングに組み付けられるとともに前記照射光を通過させる開口部を形成するカバーと、を備える照明ユニットにおいて、前記係止部には、前記カバーを前記ハウジングに組み付けると前記開口部の周縁に当接する接触部と，該接触部に連続するとともに前記カバーと前記ハウジングとが組み付けられた状態にて撓み変形して前記電子部品を押圧する押さえ部と，を形成することを特徴とする。
【００１５】
このような特徴を有する本発明によれば、係止部には、カバーをハウジングに組み付けるとカバーの開口部の周縁が当接する接触部と、接触部に連続するとともにカバーとハウジングとが組み付けられた状態において撓み変形して電子部品を押圧する押さえ部とが形成される。これにより、係止部に電子部品を係止させ、カバーをハウジングに組み付けると、開口部の周縁が係止部に形成される接触部に当接し接触部が押圧される。そして、接触部に連続する押さえ部が撓み変形することにより電子部品が押さえ込まれる。
【００１６】
請求項２記載の本発明の照明ユニットは、請求項１に記載の照明ユニットにおいて、前記押さえ部には、断面略凸状に形成するとともに一対の傾斜を設けることを特徴とする。
【００１７】
このような特徴を有する本発明によれば、押さえ部は、断面が略凸状に形成されるとともに一対の傾斜が設けられる。そうすると、押さえ部同士の幅が係止部の幅よりも狭くなる。これにより、電子部品を係止部に挿入すると電子部品が一対の傾斜のうちの一方の傾斜に摺接され押さえ部が撓み変形する。押さえ部が撓み変形すると押さえ部同士の幅は電子部品が通過可能な広さに拡がる。電子部品が押さえ部を通過すると押さえ部の撓み変形が解除されて元の形状に復帰する。そして、一対の傾斜のうちの他方の傾斜が電子部品に当接し電子部品は係止部に挟持される。また、係止部に係止された電子部品を引き上げると、電子部品が上記他方の傾斜に摺接され押さえ部が撓み変形する。押さえ部が撓み変形すると押さえ部同士の幅は電子部品が通過可能な広さに拡がる。電子部品が押さえ部を通過すると電子部品が取り外される。押さえ部の撓み変形は解除されて元の形状に復帰する。
【００１８】
請求項３記載の本発明の照明ユニットは、請求項１又は請求項２に記載の照明ユニットにおいて、前記接触部の一方の自由端部と他方の自由端部との幅を開口部よりも広く形成することを特徴とする。
【００１９】
このような特徴を有する本発明によれば、接触部の一方の自由端部と他方の自由端部との幅がカバーの開口部よりも広く形成される。そうすると、接触部は、カバーを組み付ける際、接触部の自由端部が開口部の周縁の真下に位置するようになる。これにより、カバーをハウジングに組み付けると、接触部は、開口部を通過してカバーの外側に突出することはなく、確実に開口部の周縁に当接する。
【００２０】
請求項４記載の本発明の照明ユニットは、請求項１、請求項２又は請求項３に記載の照明ユニットにおいて、前記開口部の周縁は、前記カバーの内側にて該カバーの側面から前記開口部の端部に向かってテーパ状に形成することを特徴とする。
【００２１】
このような特徴を有する本発明によれば、カバーの開口部の周縁は、カバーの内側においてカバーの側面から開口部の端部に向かってテーパ状に形成される。これにより、カバーをハウジングに組み付ける際、カバーの内側においてテーパ状に形成される開口部の周縁が接触部に対して点接触により当接する。
【発明の効果】
【００２２】
請求項１に記載された本発明によれば、係止部に電子部品を挟持させ、カバーをハウジングに組み付けると開口部の周縁が係止部に形成される接触部に当接し接触部が押圧される。そして、接触部に連続する押さえ部が撓み変形することにより電子部品を押さえ込むことができる。これにより、カバーをハウジングに組み付けるだけで、接触部がカバーに押圧されるとともに押さえ部が撓み変形して電子部品を押さえ込み、電子部品と電気接続部との電気的な接続状態を確実に保持することができる。そうすると、係る電気的な接続状態を保持するための部材を別途製造することや、係る部材を組み付ける作業工程が不要となる。従って、製造に係る作業性を良好にするとともに、製造コストを削減することができるという効果を奏する。
【００２３】
請求項２に記載された本発明によれば、電子部品を係止部に挿入すると電子部品が一対の傾斜のうちの一方の傾斜に摺接され押さえ部が撓み変形する。押さえ部が撓み変形すると押さえ部同士の幅は電子部品が通過可能な広さに拡がる。電子部品が押さえ部を通過すると押さえ部の撓み変形が解除されて元の形状に復帰する。そして、一対の傾斜のうちの他方の傾斜が電子部品に当接し電子部品は係止部に挟持される。また、係止部に係止された電子部品を引き上げると、電子部品が上記他方の傾斜に摺接することにより押さえ部が撓み変形する。押さえ部が撓み変形すると押さえ部同士の幅は電子部品が通過可能な広さに拡がる。電子部品が押さえ部を通過すると電子部品が取り外される。押さえ部の撓み変形は解除されて元の形状に復帰する。これにより、電子部品を簡易な構造及び方法によって係止部に係止できるため半田付けが不要となり電子部品の取り付け作業が容易になる。また、電子部品の取り外しも容易にできる。従って、製造に係る作業性をより良好にすることができるという効果を奏する。
【００２４】
請求項３に記載された本発明によれば、接触部は、カバーを組み付ける際、接触部の自由端部が開口部の周縁の真下に位置するようになる。これにより、カバーをハウジングに組み付けると、接触部は、開口部を通過してカバーの外側に突出することはなく確実に開口部の周縁に当接する。これにより、接触部が確実に押圧され、押さえ部が撓み変形する。従って、より確実に押さえ部によって電子部品を押さえ込むことができるという効果を奏する。
【００２５】
請求項４に記載された本発明によれば、カバーをハウジングに組み付ける際、カバーの内側においてテーパ状に形成される開口部の周縁が接触部に対して点接触により当接する。これにより、接触部は、カバーの内側における開口部の周縁がカバーの上面における開口部の周縁と平行に形成された場合と比較して強い力で押圧される。そして、押さえ部が撓み変形して、より強い力によって電子部品を押さえ込むことができる。従って、より確実に電子部品の電気的な接続状態を保持することができるという効果を奏する。
【図面の簡単な説明】
【００２６】
【図１】本発明に係る照明ユニットの斜視図である。
【図２】図１の分解斜視図である。
【図３】ＬＥＤユニットの斜視図、平面図及び底面図である。
【図４】バスバーの斜視図及びＬＥＤユニット実装部の断面図である。
【図５】バスバーの平面図である。
【図６】ハウジングの斜視図である。
【図７】カバーの斜視図及び断面図である。
【図８】ユニットサブアッシーの組み立て工程を示す図である。
【図９】図８に続く図である。
【図１０】ユニットサブアッシーの斜視図及び側面図である。
【図１１】ユニットサブアッシーの断面図及びＬＥＤユニット実装部の拡大断面図である。
【図１２】ユニットサブアッシーに対する電線の組み付け工程を示す図である。
【図１３】ユニットサブアッシーに対するカバーの組み付け工程を示す図である。
【図１４】図１３における断面図である。
【図１５】図１４に続く図である。
【発明を実施するための形態】
【００２７】
図１乃至図１５には、本発明に係る照明ユニットの第１の実施例が示されている。図１は本発明に係る照明ユニットの斜視図、図２は図１の分解斜視図、図３はＬＥＤユニットを示す図であって、（ａ）はＬＥＤユニットの斜視図、（ｂ）は（ａ）の平面図、（ｃ）は（ａ）の底面図、図４はバスバーを示す図であり、（ａ）はバスバーの斜視図、（ｂ）は（ａ）におけるＡ―Ａ線断面図、図５はバスバーの平面図、図６はハウジングの斜視図、図７はカバーを示す図であって、（ａ）はカバーの斜視図、（ｂ）は（ａ）におけるＡ―Ａ線断面図、図８はユニットサブアッシーの組み立て工程を示す図、図９は図８（ｂ）におけるＡ―Ａ線断面図、図１０はユニットサブアッシーの斜視図及び側面図、図１１はユニットサブアッシーを示す図であって、（ａ）は図１０（ｂ）におけるＢ―Ｂ線断面図、（ｂ）は図１１（ａ）において矢印Ｃに示す部分の拡大断面図、図１２はユニットサブアッシーに対する電線の組み付け工程を示す図、図１３はユニットサブアッシーに対するカバーの組み付け工程を示す図、図１４は図１３におけるＡ―Ａ線断面図、図１５は図１４に続く図である。
【００２８】
図１及び図２において、引用符号１は本発明の照明ユニットを示している。照明ユニット１は、特に限定するものではないが、自動車等の車両の室内を照明する部品として用いられている。照明ユニット１は、ユニットサブアッシー２と、このユニットサブアッシー２に組み付けるカバー３とを備えて構成されている。カバー３には、照射光を通過させる開口部２８が形成されている。以下、各構成部材について説明する。
【００２９】
図２において、ユニットサブアッシー２は、バスバー４〜７（本実施例においては４本）と、バスバー４〜７が収容されるハウジング８と、バスバー４〜７に実装されるＬＥＤユニット（電子部品）９とを備えて構成されている。
【００３０】
尚、本実施例においては、図２におけるカバー３とユニットサブアッシー２の並ぶ方向を「上下方向」、バスバー４〜７の長手方向を「前後方向」、複数のバスバー４〜７の並ぶ方向を「左右方向」と定義して説明するものとする。
【００３１】
図３において、ＬＥＤユニット９は、照射光を照射する複数のＬＥＤ９ａ〜９ｃと、ＬＥＤ９ａ〜９ｃに対して外部からの電気的な接続を行うＬＥＤユニット側接点１０ａ〜１０ｆとを有している。図３（ａ）及び（ｂ）において、ＬＥＤ９ａ〜９ｃは、本実施例では、フルカラーを表現するため、赤色、緑色、及び青色の割合を調整して所望の色を発光させるＬＥＤが用いられており、ＬＥＤユニット９の上面に実装されている。また、図３（ｃ）において、ＬＥＤユニット９は、下面側にＬＥＤユニット側接点１０ａ〜１０ｆを有している。
【００３２】
図４及び図５において、バスバー４〜７は、導電性を有する金属板を打ち抜き、そして、折り曲げ加工することにより、図示のような形状に形成される（形状は一例であるものとする）。バスバー４〜７は、上記前後方向にのびるように形成されている。バスバー４〜７は、ハウジング８に収容される際は、図４（ａ）及び図５に示すように配置されるものとする。このように配置されたバスバー４〜７は、前後方向の前端側に電線接続部１１を有し、後端側にＬＥＤユニット実装部１２を有している。また、前端及び後端にそれぞれバスバー係止部２１を有している。尚、本実施例において、バスバー４の電線接続部１１及びバスバー係止部２１のみ図示しているが、バスバー５〜７の電線接続部１１及びバスバー係止部２１もバスバー４と同じであるものとする。
【００３３】
図４（ａ）において、ＬＥＤユニット実装部１２は、電気接続部１３と、一対のＬＥＤユニット係止部（係止部）１５とによって構成されている。図５において、電気接続部１３は、ＬＥＤユニット９に対して外部からの電気的な接続を行うための部分であって、バスバー４〜７の前後方向の後端側のバスバー側接点１４ａ〜１４ｆから構成されている。バスバー側接点１４ａ〜１４ｆは、ＬＥＤユニット側接点１０ａ〜１０ｆに対応しており、ＬＥＤユニット９への外部からの電気的な接続を行っている。バスバー側接点１４ａ〜１４ｆのうち、バスバー５におけるバスバー側接点１４ｂ〜１４ｄは、プラス側（図示しないバッテリー側）となっており、ＬＥＤ９ａ〜９ｃが共通して接続される。バスバー４におけるバスバー側接点１４ａと、バスバー６におけるバスバー側接点１４ｅと、バスバー７におけるバスバー側接点１４ｆとは、マイナス側（図示しないアース側）となっており、それぞれ、ＬＥＤ９ａ〜９ｃに個別に接続される。
【００３４】
図４（ａ）において、一対のＬＥＤユニット係止部１５は、弾性を有しており、バスバー５、７の前後方向の後端側に連続してアーム状に形成されている。一対のＬＥＤユニット係止部１５は、ＬＥＤユニット実装部１２に実装されたＬＥＤユニット９を挟持することにより係止する部分として形成されている。一対のＬＥＤユニット係止部１５の幅は、ＬＥＤユニット９の幅よりも広く形成されている。
【００３５】
図４（ｂ）において、一対のＬＥＤユニット係止部１５は、ＬＥＤユニット９を挿入する側にて、押さえ部１６と、接触部１７とを有している。押さえ部１６は、弾性を有しており、一対のＬＥＤユニット係止部１５に連続して断面が略凸状の形状に形成されるとともに、ＬＥＤユニット９を挿入する側及び電気接続部１３側に一対の傾斜１８、１９が設けられている。すなわち、押さえ部１６は、断面が略く字形に形成されている。一対の押さえ部１６は、頂点同士が対向している。押さえ部１６の頂点同士の幅は、ＬＥＤユニット９の幅及び一対のＬＥＤユニット係止部１５の幅よりも狭く形成されている。上記構成及び構造によれば、ＬＥＤユニット９を一対のＬＥＤユニット係止部１５に係止する際、ＬＥＤユニット９を挿入する側における押さえ部１６の傾斜１８にＬＥＤユニット９を摺接させながら挿入すると、押さえ部１６は撓み変形し、押さえ部１６の頂点同士の幅はＬＥＤユニット９が通過可能な広さに拡がる。ＬＥＤユニット９が押さえ部１６を通過すると、押さえ部１６は弾性により、図４（ｂ）に示す元の形状に復帰し、頂点同士の幅は元の広さに復帰する。これにより、ＬＥＤユニット９は、ＬＥＤユニット係止部１５に挟持されることにより係止される。
【００３６】
上記一対のＬＥＤユニット係止部１５の構成及び構造のみでＬＥＤユニット９の係止を行うことができるので、半田付けによらなくてもＬＥＤユニット９をＬＥＤユニット実装部１２に実装することができる。従って、ＬＥＤユニット９を容易に実装すことができる。また、ＬＥＤユニット９を押さえ部１６の傾斜１８に摺接させながら押し込み、押さえ部１６の幅を拡げることによりＬＥＤユニット実装部１２に挿入するため、比較的小さな力でＬＥＤユニット９を実装することができる。
【００３７】
また、ＬＥＤユニット９をＬＥＤユニット実装部１２から取り外す際は、ＬＥＤユニット９を引き上げると、ＬＥＤユニット９の上面の両端が押さえ部１６における電気接続部１３側の傾斜１９に摺接し、押さえ部１６の頂点同士の幅は、ＬＥＤユニット９が通過可能な広さに拡がる、そして、ＬＥＤユニット９をそのまま引き上げれば、ＬＥＤユニット実装部１２から取り外すことができる。従って、ＬＥＤユニット９を簡易な方法により取り外すことができる。また、ＬＥＤユニット９を押さえ部１６の傾斜１９に摺接させながら引き上げて押さえ部１６の幅を拡げるため、比較的小さな力でＬＥＤユニット９を取り外すことができる。
【００３８】
図４（ｂ）において、接触部１７は、押さえ部１６に連続して形成されている。接触部１７は、押さえ部１６に連続する一端に対する他端が自由端部２０として形成されている。接触部１７は、本実施例において、一対のＬＥＤユニット係止部１５に対して略垂直方向にのびて形成されている（一例であるものとする。その他、例えば、一対のＬＥＤユニット係止部１５に対して斜め上の方向に立ち上げることにより形成してもよいものとする）。一対のＬＥＤユニット係止部１５にて、一方の接触部１７の自由端部２０と、他方の接触部１７の自由端部２０との幅は、一対のＬＥＤユニット係止部１５の幅よりも広く形成されている。
【００３９】
図４（ａ）及び図５において、電線接続部１１は、電線４０を接続するための部分として形成されている。本実施例における電線接続部１１は、バスバー４〜７に対して略垂直に起立して形成される一対の圧接刃２２によって構成されている。電線接続部１１は、バスバー４〜７を図４（ａ）に示すように配置した際に、電線接続部１１の位置が前後方向にて相互にずれるように配置されている。圧接刃２２には上端縁から下方へ切り欠かれた略Ｕ字形の圧接溝２３が形成されている。
【００４０】
図４（ａ）において、バスバー係止部２１は、バスバー４〜７をハウジング８に係止するための部分として形成されている。本実施例におけるバスバー係止部２１は、先端が切り欠かれた矢印形の形状を有しており、バスバー４〜７の前後方向の前端側と後端側に１つづつ形成されている。バスバー係止部２１は、バスバー４〜７の上下方向の下側から、バスバー４〜７に対して略垂直に形成されている。
【００４１】
図６において、ハウジング８は、絶縁性を有する合成樹脂材料の射出成形によって、図示のような略板状の形状に形成されている。また、ハウジング８は、上面においてバスバー４〜７を収容できる大きさに形成されている。ハウジング８は、電線配置部２４と、電線配置部２４に連続するＬＥＤユニット配置部２５とによって構成されている。ハウジング８の上面には、バスバー係止部２１を係止させるバスバー被係止部２６が形成されている。バスバー被係止部２６は、バスバー４〜７において、バスバー係止部２１の形成される位置及び数に合わせて形成されている。ハウジング８は、前後方向の前端にカバー３を組み付けて係止するためのロック部２７が略コ字形に切り欠かれて形成されている。尚、ハウジング８の前後方向の後端にもカバー３を組み付けて係止するためのロック部が略コ字形に切り欠かれて形成されている（図示せず）。
【００４２】
図６において、ＬＥＤユニット配置部２５は、電線配置部２４の前後方向の後端から凸状に形成され、上面の外縁には、略コ字形の壁が形成されている。ＬＥＤユニット配置部２４は、バスバーにおけるＬＥＤユニット実装部１２、及びＬＥＤユニット９が配置される部分として形成されている。
【００４３】
図１及び図２において、カバー３は、ユニットサブアッシー２の形状に合わせて形成されている。図７（ａ）において、カバー３は、前後方向の後端側の上面にて、矩形に切り欠かれた開口部２８が形成されている。開口部２８は、ＬＥＤユニット９から照射される照射光を通過させるため、ＬＥＤユニット９の実装位置に合わせて形成されている（図１参照）。図７（ｂ）において、開口部２８の広さは、一対のＬＥＤユニット係止部１５における一方の接触部１７の自由端部２０と、他方の接触部１７の自由端部２０との幅よりも小さく形成されている（図１参照）。すなわち、接触部１７は、カバー３を組み付ける際、一方の接触部１７の自由端部２０と、他方の接触部１７の自由端部２０とが開口部２８の周縁２９の真下に位置するように形成されている。上記カバー３の構成及び構造により、接触部１７が開口部２８を通過してカバー３の外側に突出することはない。従って、接触部１７は、確実にカバー３の内側における開口部２８の周縁２９に当接する。図７（ｂ）において、開口部２８の周縁２９は、カバー８の内側においてカバー８の側面から開口部２８の端部３０に向かってテーパ状にのびて形成されている。すなわち、カバー８の内側における開口部２８の内面は、断面が略八字形に形成されている。上記構成及び構造により、カバー３をハウジング８に組み付ける際、カバー３の内側においてテーパ状に形成される開口部２８の周縁２９が接触部１７に対して点接触した状態で当接する。
【００４４】
図７（ａ）において、カバー３は、前後方向の前端にロック部３１が形成されている。ロック部３１は、ユニットサブアッシー２の前後方向の前端のロック部２７に係止されるように形成されている。尚、カバー３は、前後方向の後端にユニットサブアッシー２の前後方向の後端における図示しないロック部に係止されるロック部が形成されている（図示せず）。カバー３は、左右方向の右側の側面に電線４０を引き出すためのスリット３２が形成されている。尚、カバー３は、左右方向の左側にもスリットが形成されている（図示せず）。スリット３２の高さは、電線４０の直径に合わせて形成されている（図１参照）。従って、図１にて、カバー３をユニットサブアッシー２に組み付けると、スリット３２が電線４０に覆い被さるように組み付くため、電線４０の電気的な接続が外れることを防止できる。
【００４５】
次に、図８乃至図１０を参照しながら、本実施例におけるユニットサブアッシー２の組み立て工程について説明する。
図８（ａ）において、先ず、バスバー４〜７のバスバー係止部２１を細線矢印に示す所定のバスバー被係止部２６に差し入れることにより係止する。これによりバスバー４〜７は、ハウジング８の上面に固定される（図８（ｂ）参照）。次に、図８（ｂ）において、ＬＥＤユニット９をＬＥＤユニット実装部１２に対して白矢印Ｂの示す方向に向かって挿入する。
【００４６】
図９（ａ）において、ＬＥＤユニット９がＬＥＤユニット実装部１２に対して白矢印Ｂの示す方向に向かって挿入を開始すると、ＬＥＤユニット９は、ＬＥＤユニット９を挿入する側の押さえ部１６の傾斜１８に摺接される。そして、ＬＥＤユニット９を白矢印Ｂに示す方向にそのまま押し込んでいくと、押さえ部１６が黒矢印Ｃに示す方向に撓み変形し、押さえ部１６の頂点同士の幅が拡がる。そして、押さえ部１６の頂点同士の幅がＬＥＤユニット９の幅と同じ広さにまで撓み変形すると、ＬＥＤユニット９は押さえ部１６を通過する。
【００４７】
図９（ｂ）において、ＬＥＤユニット９が押さえ部１６を通過すると、押さえ部１６の撓み変形が解除され、押さえ部１６は、弾性によって黒矢印Ｄに示す方向に戻り元の形状に復帰する。そうすると、ＬＥＤユニット９は、下面側のＬＥＤユニット側接点１０ａ〜１０ｆが電気接続部１３（バスバー側接点１４ａ〜１４ｆ）と当接する。そして、ＬＥＤユニット９の上面の両端には、電気接続部１３側の押さえ部１６の傾斜１９が当接する。これにより、ＬＥＤユニット９は、一対のＬＥＤユニット係止部１５によって挟持され、ＬＥＤユニット９は、ＬＥＤユニット実装部１２に実装される。以上により、図１０に示すユニットサブアッシー２の組み立てが完了する。
【００４８】
尚、ＬＥＤユニット９をＬＥＤユニット係止部１５から取り外すには、上記と逆の工程により行う。すなわち、ＬＥＤユニット係止部１５に係止されたＬＥＤユニット９を図９（ａ）における白矢印Ｂに示す方向とは逆の方向に向かって引き上げると、ＬＥＤユニット９が電気接続部１３側の傾斜１９に摺接され押さえ部１６が図９（ａ）における黒矢印Ｃに示す方向に撓み変形する。押さえ部１６が撓み変形すると押さえ部１６の頂点同士の幅はＬＥＤユニット９が通過可能な広さに拡がる。ＬＥＤユニット９が押さえ部１６を通過するとＬＥＤユニット９が取り外される。これと同時に、押さえ部１６は、撓み変形が解除されて図９（ａ）における黒矢印Ｄに示す方向に戻り元の形状に復帰する。
【００４９】
図１１（ａ）において、ＬＥＤユニット９は、ＬＥＤユニット実装部１２に実装されると、ＬＥＤユニット側接点１０ａ〜１０ｆと、バスバー側接点１４ａ〜１４ｆとが接続される。図１１（ｂ）において、バスバー側接点１４ａ〜１４ｆのうち、バスバー５におけるバスバー側接点１４ｂ〜１４ｄには、ＬＥＤユニット側接点１０ｂ〜１０ｄが接続され、ＬＥＤ９ａ〜９ｃが共通してプラス側（図示しないバッテリー側）に接続される構成となる。また、バスバー４におけるバスバー側接点１４ａには、ＬＥＤユニット側接点１０ａが接続される。バスバー６におけるバスバー側接点１４ｅには、ＬＥＤユニット側接点１０ｅが接続される。バスバー７におけるバスバー側接点１４ｆには、ＬＥＤユニット側接点１０ｆが接続される。従って、ＬＥＤ９ａ〜９ｃは、それぞれ個別にマイナス側（図示しないアース側）に接続される構成となる。
【００５０】
図１２（ａ）において、ユニットサブアッシー２に対する電線４０の組み付けは白矢印Ａに示す方向に向かって行われる。電線４０の組み付けは、電線４０を電線接続部１１に圧接して行われる。導体（図示せず）と絶縁被覆４１とからなる電線４０が一対の圧接刃２２の圧接溝２３に圧入されると、絶縁被覆４１に圧接溝２３が切り込まれ、圧接溝３と導体４１とが圧接接続される。これにより、図１２（ｂ）において、ユニットサブアッシー２と電線接続部１１とが電気的に接続され、ユニットサブアッシー２に対して、外部からの電気的な接続が行われる。
【００５１】
次に、図１３を参照しながら、ユニットサブアッシー２に対するカバー３の組み付けについて説明する。
図１３において、カバー３は、ユニットサブアッシー２に対して上下方向の下側に向かって組み付けられる。ユニットサブアッシー２とカバー３とが組み付けられると、カバー３のロック部３１がハウジング８のロック部２７に係止される。また、カバー３の前後方向の後端に形成される図示しないロック部がハウジング８の前後方向の後端に形成される図示しないロック部に係止される。以上により、ユニットサブアッシー２に対するカバー３の組み付けが完了する。
【００５２】
ここで、図１４及び図１５を参照しながら、ユニットサブアッシー２に対するカバー３の組み付けに伴う、押さえ部１６によるＬＥＤユニット９の押さえ込みについて詳細に説明する。
図１４において、カバー３をユニットサブアッシー２に対して組み付けようとすると、カバー３の内側における開口部２８の周縁２９が白矢印Ａに示す方向に向かって、ユニットサブアッシー２側のＬＥＤユニット係止部１５における接触部１７に徐々に接近する。
【００５３】
図１５において、ユニットサブアッシー２に対してカバー３が組み付けられると、カバー３の内側における開口部２８の周縁２９が一対のＬＥＤユニット係止部１５の接触部１７に当接し、接触部１７を押圧する。開口部２８の広さは、一方の接触部１７の自由端部２０と、他方の接触部１７の自由端部２０との幅よりも小さく形成されているため、開口部２８の周縁２９は、ユニットサブアッシー２に対してカバー３を組み付けた際、端部３０が接触部１７の真上までのびて形成されている。上記カバー３の構成及び構造により、ユニットサブアッシー２に対してカバー３を組み付けても接触部１７が開口部２８を通過してカバー３の外側に突出することはない。従って、開口部２８の周縁２９は、接触部１７に確実に当接する。
【００５４】
また、図１４及び図１５において、カバー３の内側における開口部２８の周縁２９は、カバー３の側面から開口部２８の端部３０に向かってテーパ状にのびて形成されているため、ユニットサブアッシー２に対してカバー３が組み付けられると、カバー３の内側における開口部２８の周縁２９は、接触部１７の自由端部２０側と点接触により当接する（図１５参照）。そして、図１５において、接触部１７に対して白矢印Ｂに示す方向に向かって押さえ込む力が作用する。従って、カバー３の内側における開口部２８の周縁２９がカバー３の上面における開口部２８の周縁２９と平行に形成された場合と比較して、より強い力で接触部１７を押さえ込むことができる。
【００５５】
図１５において、開口部２８の周縁２９が接触部１７を押圧すると、押さえ部１６が撓み変形して、押さえ部１６における傾斜１９が白矢印Ｃに示す方向に押さえ込まれる。これにより、傾斜１９によってＬＥＤユニット９の上面の両端が押さえ込まれる。そして、押さえ部１６がＬＥＤユニット９を押さえ込もうとする力の分力が黒矢印Ｄに示す方向に作用する。そうすると、ＬＥＤユニット９の下面側が電気接続部１３（バスバー側接点１４ａ〜１４ｆ）に対して常に押し付けられる状態になる。従って、ＬＥＤユニット９におけるＬＥＤユニット側接点１０ａ〜１０ｆと電気接続部１３を構成するバスバー側接点１４ａ〜１４ｆとの電気的な接続を確実に保持することができる。
【００５６】
以上、図１乃至図１５を参照しながら説明してきたように、本実施例における照明ユニット１によれば、ＬＥＤユニット９におけるＬＥＤユニット側接点１０ａ〜１０ｆと電気接続部１３を構成するバスバー側接点１４ａ〜１４ｆとの電気的な接続状態を保持するための部材を別途製造することや、係る部材を組み付ける作業工程が不要となる。従って、照明ユニット１の製造に係る作業性を良好にするとともに、製造コストを削減することができる。
【００５７】
その他、照明ユニット１によれば、ＬＥＤユニット９をＬＥＤユニット係止部１５に挿入するとＬＥＤユニット９が傾斜１８に摺接され押さえ部１６が撓み変形する。押さえ部１６が撓み変形すると押さえ部１６の頂点同士の幅はＬＥＤユニット９が通過可能な広さに拡がる。ＬＥＤユニット９が押さえ部１６を通過すると押さえ部１６の撓み変形が解除されて元の形状に復帰する。そして、傾斜１９がＬＥＤユニット９に当接しＬＥＤユニット９はＬＥＤユニット係止部１５に挟持される。また、ＬＥＤユニット係止部１５に係止されたＬＥＤユニット９を引き上げると、ＬＥＤユニット９が傾斜１９に摺接することによりＬＥＤユニット係止部１５が撓み変形する。押さえ部１６が撓み変形すると押さえ部１６の頂点同士の幅はＬＥＤユニット９が通過可能な広さに拡がる。ＬＥＤユニット９が押さえ部１６を通過すると押さえ部１６の撓み変形が解除されて元の形状に復帰するとともにＬＥＤユニット９が取り外される。これにより、ＬＥＤユニット９を簡易な構造及び方法によってＬＥＤユニット係止部１５に係止できるため半田付けが不要となりＬＥＤユニット９の実装が容易になる。また、ＬＥＤユニット９の取り外しも容易にできる。従って、製造に係る作業性をより良好にすることができるという効果を奏する。
【００５８】
また、接触部１７は、カバー３を組み付ける際、接触部１７の自由端部２０が開口部２８の周縁２９の真下に位置するようになる。これにより、カバー３をハウジング８に組み付けると、接触部１７は、開口部２８を通過してカバー３の外側に突出することはなく、確実に開口部２８の周縁２９に当接する。これにより、接触部１７が確実に押圧され、押さえ部１６が撓み変形する。従って、より確実に押さえ部１６によってＬＥＤユニット９を押さえ込むことができる。
【００５９】
さらに、カバー３をハウジング８に組み付ける際、カバー３の内側においてテーパ状に形成される開口部２８の周縁２９が接触部１７に対して点接触により当接する。これにより接触部１７は、カバー３の内側における開口部２８の周縁２９がカバー３の上面における開口部２８の周縁２９と平行に形成された場合と比較して、より強い力で押圧される。そして、押さえ部１６が撓み変形して、より強い力によってＬＥＤユニット９を押さえ込むことができる。従って、より確実にＬＥＤユニット９の電気的な接続状態を保持することができる。
【００６０】
この他、本発明は本発明の主旨を変えない範囲で種々変更実施可能なことは勿論である。
【符号の説明】
【００６１】
１…照明ユニット、  ２…ユニットサブアッシー、  ３…カバー、  ４〜７…バスバー、  ８…ハウジング、  ９…ＬＥＤユニット（電子部品）、  ９ａ〜９ｃ…ＬＥＤ、  １０ａ〜１０ｆ…ＬＥＤユニット側接点、  １１…電線接続部、  １２…ＬＥＤユニット実装部、  １３…電気接続部、  １４ａ〜１４ｆ…バスバー側接点、  １５…ＬＥＤユニット係止部（係止部）、  １６…押さえ部、  １７…接触部、  １８，１９…傾斜、  ２０…自由端部、  ２１…バスバー係止部、  ２２…圧接刃、  ２３…圧接溝、  ２４…電線配置部、  ２５…ＬＥＤユニット配置部、  ２６…バスバー被係止部、  ２７，３１…ロック部、  ２８…開口部、  ２９…周縁、  ３０…端部、  ３２…スリット、  ４０…電線、  ４１…絶縁被覆
【図１】
2013189050.tif 000003
【図２】
2013189050.tif 000004
【図３】
2013189050.tif 000005
【図４】
2013189050.tif 000006
【図５】
2013189050.tif 000007
【図６】
2013189050.tif 000008
【図７】
2013189050.tif 000009
【図８】
2013189050.tif 000010
【図９】
2013189050.tif 000011
【図１０】
2013189050.tif 000012
【図１１】
2013189050.tif 000013
【図１２】
2013189050.tif 000014
【図１３】
2013189050.tif 000015
【図１４】
2013189050.tif 000016
【図１５】
2013189050.tif 000017